(57)【要約】【課題】受信側装置による不要又は不正なチャネルの受信を減らすことができ、且つ、送信側装置における設備コスト及び回路規模を抑制することができる。【解決手段】光信号分割多重装置１０は、変調光パルス信号Ｓ１Ａ，Ｓ１Ｂ，Ｓ１Ｃを出力する変調部１２と、変調光パルス信号の中から選択された波長の１つ以上の変調光パルス信号を含む光信号の束Ｓ１ＣＡ，Ｓ１ＡＢ，Ｓ１ＢＣを複数生成して出力する選択部１３と、複数の光信号の束にそれぞれ対応する複数の広帯域光符号器１４ａ，１４ｂ，１４ｃとを備え、広帯域光符号器のそれぞれは、複数の光信号の束の内の対応する光信号の束に含まれる１つ以上の変調光パルス信号を符号化して、１つ以上の符号化チップパルス列Ｓ２ＣＡ，Ｓ２ＡＢ，Ｓ２ＢＣを出力し、広帯域光符号器のそれぞれから出力された１つ以上の符号化チップパルス列を多重化する多重化部１５をさらに備える。【選択図】図２
2011199759.tif 000002
【特許請求の範囲】
【請求項１】
互いに異なる波長の、複数の変調光パルス信号を出力する変調光パルス出力部と、
前記複数の変調光パルス信号の中から選択された波長の１つ以上の変調光パルス信号を含む光信号の束を複数生成して出力する選択部と、
前記複数の光信号の束にそれぞれ対応する複数の広帯域光符号器と
を備え、
前記複数の広帯域光符号器のそれぞれは、前記複数の光信号の束の内の対応する光信号の束に含まれる１つ以上の変調光パルス信号を符号化して、１つ以上の符号化チップパルス列を出力し、
前記複数の広帯域光符号器のそれぞれから出力された前記１つ以上の符号化チップパルス列を多重化する多重化部をさらに備える
ことを特徴とする光信号分割多重装置。
【請求項２】
前記複数の広帯域光符号器のそれぞれは、
光導波路と、
前記光導波路内に形成され、前記光導波路の導波方向に並ぶ複数の周期的屈折率分布構造部と、
前記複数の周期的屈折率分布構造部の間に備えられ、前記符号化チップパルス列を構成するチップパルスのいずれかの位相をシフトさせる位相シフト部と
を有することを特徴とする請求項１に記載の光信号分割多重装置。
【請求項３】
前記複数の広帯域光符号器のそれぞれは、
前記複数の周期的屈折率分布構造部は、複数の単位回折格子であり、
前記光導波路を導波方向に等しい長さに区分した区画である単位セグメントを複数個決め、前記複数の単位セグメントのそれぞれの中に、前記複数の単位回折構成の１つが配置され、
前記単位回折格子長をＬｇとし、
１個の前記単位セグメントの導波方向の長さをＬｓとし、
前記複数の広帯域光符号器のそれぞれが符号化する、異なる周波数の変調光パルス信号の数をＮｗとしたときに、
Ｌｇ≦Ｌｓ／Ｎｗ
である
ことを特徴とする請求項１又は２に記載の光信号分割多重装置。
【請求項４】
多重化された光信号を伝送路に出力する送信側装置と、
前記伝送路を通して前記多重化された光信号を受信する複数の受信側装置と
を備える光信号分割多重伝送システムにおいて、
前記送信側装置は、請求項１乃至３のいずれか１項に記載の光信号分割多重装置であり、
前記複数の受信側装置は、前記複数の広帯域光符号器のいずれかに対応し、
前記複数の受信側装置のそれぞれは、対応する前記広帯域光符号器の符号可能帯域により狭い復号可能帯域を持つ狭帯域可変光復号器を有し、
前記狭帯域可変光復号器は、多重化された前記１つ以上の符号化チップパルス列を受け取り、復号する光信号の波長を選択し、前記１つ以上の符号化パルス信号のうちの選択された波長の符号化パルス信号を復号する手段を有する
ことを特徴とする光信号分割多重伝送システム。
【請求項５】
互いに異なる波長の、複数の変調光パルス信号を出力する工程と、
前記複数の変調光パルス信号の中から選択された波長の１つ以上の変調光パルス信号を含む光信号の束を複数生成して出力する工程と、
前記複数の光信号の束にそれぞれ対応する複数の広帯域光符号器のそれぞれが、前記複数の光信号の束の内の対応する光信号の束に含まれる１つ以上の変調光パルス信号を符号化して、１つ以上の符号化チップパルス列を出力する工程と、
前記複数の広帯域光符号器のそれぞれから出力された前記１つ以上の符号化チップパルス列を多重化する工程と
を有することを特徴とする光信号分割多重方法。
【請求項６】
送信側装置から伝送路を通して、多重化された複数の符号化チップパルス列を複数の受信側装置に伝送する光信号分割多重伝送方法であって、
前記送信側装置において、
互いに異なる波長の、複数の変調光パルス信号を出力し、
前記複数の変調光パルス信号の中から選択された波長の１つ以上の変調光パルス信号を含む光信号の束を複数生成し、
前記複数の光信号の束にそれぞれ対応する複数の広帯域光符号器のそれぞれが、前記複数の光信号の束の内の対応する光信号の束に含まれる１つ以上の変調光パルス信号を符号化して、１つ以上の符号化チップパルス列を出力し、
前記複数の広帯域光符号器のそれぞれから出力された前記１つ以上の符号化チップパルス列を多重化し、
前記複数の受信側装置のそれぞれにおいて、
多重化された前記１つ以上の符号化チップパルス列を受け取り、
復号する光信号の波長を選択し、
前記１つ以上の符号化パルス信号のうちの選択された波長の符号化パルス信号を復号する
ことを特徴とする光信号分割多重伝送方法。
【発明の詳細な説明】
【技術分野】
【０００１】
本発明は、光符号分割多重（ＯＣＤＭ）方式と光波長分割多重（光ＷＤＭ）方式とを組み合わせた光信号分割多重装置、光信号分割多重伝送システム、光信号分割多重方法、及び光信号分割多重伝送方法に関するものである。
【背景技術】
【０００２】
近年、１本の光ファイバに複数チャネルの光パルス信号を伝送する光多重方式が普及している。光多重方式としては、光時分割多重（ＯＴＤＭ）方式、光ＷＤＭ方式、及びＯＣＤＭ方式が知られている。これらの方式は、例えば、非特許文献１（外林秀之著）に説明されている。また、光ＷＤＭ方式を採用した光伝送方式は、例えば、特許文献１（特開２００２−１６５２１３号公報）に開示されている。さらに、ＯＣＤＭ方式において、光パルス信号を位相シフトキーイング（ＰＳＫ）方式によって符号化された光パルス信号に変換する光符号器（光復号器）に、スーパーストラクチャファイバブラッググレーティング（ＳＳＦＢＧ）を使用することが、例えば、非特許文献２（西木玲彦ほか著）及び特許文献２（特開２００８−１５３９２１号公報）に開示されている。
【０００３】
また、ＯＣＤＭ方式では、ファイバブラッググレーティング（ＦＢＧ）符号器が光信号の符号化と波長の識別を行うので、生成される光パルス信号の符号パターンが同じであっても、異なる波長を扱うＦＢＧ符号器を用意すれば、新たなチャネルが増設できる。このようなＦＢＧ符号器の特性を利用して、チャネル数を増やす目的でＯＣＤＭ方式と光ＷＤＭ方式とを組み合わせた光多重方式も研究されている。このような方式は、例えば、非特許文献３（Ｔａｒｏ  Ｈａｍａｎａｋａほか著）に開示されている。また、ＯＣＤＭ方式と光ＷＤＭ方式とを組み合わせた他の光多重方式が、例えば、特許文献３（特開２００１−２５７６５８号公報）に開示されている。
【先行技術文献】
【非特許文献】
【０００４】
【非特許文献１】外林秀之著、「光符号分割多重ネットワーク」、応用物理、第７１巻、第７号、２００２年、ｐｐ．８５３−８５９
【非特許文献２】西木玲彦ほか著、「ＳＳＦＢＧを用いたＯＣＤＭ用位相符号器の開発」、信学技法、Ｔｅｃｈｎｉｃａｌ  Ｒｅｐｏｒｔ  ｏｆ  ＩＥＩＣＥ、  ＯＦＴ２００２−６６、２００２年１１月、ｐｐ．１３−１８
【非特許文献３】Ｔａｒｏ  Ｈａｍａｎａｋａほか著、「Ｄｅｍｏｎｓｔｒａｔｉｏｎ  ｏｆ  １６−ｕｓｅｒ  ＯＣＤＭＡ  ｏｖｅｒ  ３−ｗａｖｅｌｅｎｇｔｈ  ＷＤＭ  ｕｓｉｎｇ  ５１１−ｃｈｉｐ，  ６４０  Ｇｃｈｉｐ／ｓ  ＳＳＦＢＧ  ｅｎ／ｄｅｃｏｄｅｒ  ａｎｄ  ｓｉｎｇｌｅ  ｌｉｇｈｔ  ｓｏｕｒｃｅ」、Ｐａｐｅｒ  ＯＭＯ１、Ｖｏｌ．３、ＯＦＣ２００７
【特許文献】
【０００５】
【特許文献１】特開２００２−１６５２１３号公報（段落０００９、図１）
【特許文献２】特開２００８−１５３９２１号公報
【特許文献３】特開２００１−２５７６５８号公報（段落０１６３−０１６９、図１８、図１９）
【発明の概要】
【発明が解決しようとする課題】
【０００６】
しかし、映像配信業者の局社側設備（送信側装置）から光通信回線を通して複数の利用者側装置（受信側装置）にデータ配信するために、上記光多重方式のいずれか１つを使用した場合には、利用者側装置は、他の利用者に配信された不要なチャネルのデータも受信することになる（例えば、特許文献１の図１参照）。このため、１つの光多重方式を使用した場合には、利用者側装置は、誤って不要なチャネルを受信したり、不正に未契約のチャネルを受信したりすることが起こりやすいという問題がある。
【０００７】
また、データ配信に利用できるチャネル数を増やすために、ＯＣＤＭ方式と光ＷＤＭ方式とを組み合わせた光多重方式を用いる場合には、波長チャネルごとに、例えば、１台のＦＢＧ符号器（送信側装置）と１台のＦＢＧ復号器（受信側装置）からなる１対の装置を用意しなければならない（例えば、非特許文献３のＦｉｇ．３及び特許文献３の図１８参照）。このため、このような場合には、１チャネル当たりのコストが高くなり、また、チャネル数に等しい数のＦＢＧ符号器を備える回路の実装面積が大きくなるという問題がある。
【０００８】
そこで、本発明は、上記課題を解決するためになされたものであり、受信側装置による不要又は不正なチャネルの受信を減らすことができ、且つ、送信側装置における設備コスト及び回路規模を抑制することができる光信号分割多重装置、光信号分割多重伝送システム、光信号分割多重方法、及び光信号分割多重伝送方法を提供することを目的とする。
【課題を解決するための手段】
【０００９】
本発明の一形態に係る光信号分割多重装置は、互いに異なる波長の、複数の変調光パルス信号を出力する変調光パルス出力部と、前記複数の変調光パルス信号の中から選択された波長の１つ以上の変調光パルス信号を含む光信号の束を複数生成して出力する選択部と、前記複数の光信号の束にそれぞれ対応する複数の広帯域光符号器とを備え、前記複数の広帯域光符号器のそれぞれは、前記複数の光信号の束の内の対応する光信号の束に含まれる１つ以上の変調光パルス信号を符号化して、１つ以上の符号化チップパルス列を出力し、前記複数の広帯域光符号器のそれぞれから出力された前記１つ以上の符号化チップパルス列を多重化する多重化部をさらに備えることを特徴としている。
【００１０】
本発明の他の形態に係る光信号分割多重伝送システムは、多重化された光信号を伝送路に出力する送信側装置と、前記伝送路を通して前記多重化された光信号を受信する複数の受信側装置とを備える光信号分割多重伝送システムであって、前記送信側装置は、前記光信号分割多重装置であり、前記複数の受信側装置は、前記複数の広帯域光符号器のいずれかに対応し、前記複数の受信側装置のそれぞれは、対応する前記広帯域光符号器の符号可能帯域により狭い復号可能帯域を持つ狭帯域可変光復号器を有し、前記狭帯域可変光復号器は、多重化された前記１つ以上の符号化チップパルス列を受け取り、復号する光信号の波長を選択し、前記１つ以上の符号化パルス信号のうちの選択された波長の符号化パルス信号を復号する手段を有することを特徴としている。
【発明の効果】
【００１１】
本発明によれば、受信側装置による不要又は不正なチャネルの受信を減らすことができ、且つ、送信側装置における設備コスト及び回路規模を抑制することができるという効果がある。
【図面の簡単な説明】
【００１２】
【図１】（ａ）〜（ｅ）は、ＳＳＦＢＧを利用した光符号器及び光復号器の動作原理を示す図である。
【図２】本発明に係る実施の形態の光信号分割多重装置（送信側装置）及びこれを含む光信号分割多重伝送システムの構成を概略的に示す図である。
【図３】図２に示される広帯域光符号器の特性の一例を示す反射スペクトルを示す図である。
【図４】（ａ）〜（ｃ）は、図２に示される広帯域光符号器の構造、周期的屈折率変調構造部、及び各部の導波方向の長さを示す図である。
【図５】（ａ）〜（ｃ）は、図２に示される狭帯域可変光復号器の特性の一例を示す反射スペクトルを示す図である。
【図６】（ａ）〜（ｃ）は、図２に示される広帯域光符号器の符号化波形を示す図である。
【図７】（ａ）〜（ｃ）は、設定波長のチップパルス列が狭帯域可変光復号器に入力されたときの復号波形（自己相関波形）を示す図である。
【図８】（ａ）及び（ｂ）は、設定波長以外の波長のチップパルス列が狭帯域可変光復号器に入力されたときの出力波形（相互相関波形）を示す図である。
【図９】（ａ）及び（ｂ）は、設定波長以外の波長のチップパルス列が狭帯域可変光復号器に入力されたときの出力波形（相互相関波形）を示す図である。
【図１０】（ａ）及び（ｂ）は、設定波長以外の波長のチップパルス列が狭帯域可変光復号器に入力されたときの出力波形（相互相関波形）を示す図である。
【発明を実施するための形態】
【００１３】
以下に、本発明に係る実施の形態の、光符号分割多重（ＯＣＤＭ）方式と光波長分割多重（光ＷＤＭ）方式とを組み合わせた光信号分割多重装置、この光信号分割多重装置を含む光信号分割多重伝送システム、光信号分割多重装置によって実行することができる光信号分割多重方法、及び光信号分割多重伝送システムによって実行することができる光信号分割多重伝送方法を説明する。
【００１４】
《１》ＯＣＤＭ方式の原理の説明
最初に、本実施の形態で使用されるＯＣＤＭ方式の原理を説明する。ＯＣＤＭ方式のシステムでは、送信側装置の光符号器は、通信チャネルごとに異なる光符号で光パルス信号を符号化して符号化チップパルス列（符号化された光パルス列）を生成する。受信側装置の光復号器は、送信側装置と同じ光符号を用いて、受信した符号化チップパルス列を復号して元の光パルス信号を生成（復元）する。
【００１５】
図１（ａ）〜（ｅ）は、ＳＳＦＢＧを利用した光符号器１００及び光復号器２００の動作原理を示す図である。図１（ａ）は、光符号器１００に入力される入力光パルス３００の波形を示し、図１（ｂ）は、光符号器１００から出力される符号化チップパルス列の波形を示す。図１（ｃ）は、光復号器２００から出力される符号化チップパルス列の成分の波形を示し、図１（ｄ）は、光復号器２００から出力される符号化チップパルス列の自己相関波形を示す。図１（ｅ）は、入力光パルス３００の符号化及び復号化を行う構成を示す。なお、図１（ｃ）及び（ｄ）において、＃１〜＃７は、時刻の前後関係を示しており、数値が小さいほど先の時刻を示す。
【００１６】
図１（ｅ）に示されるように、光符号器１００は、光ファイバの導波方向に沿って配列された４つの単位ＦＢＧ１０１，１０２，１０３，１０４を有するＳＳＦＢＧであり、符号長が４ビットの光符号値（例えば、０，０，１，０）を持つ。光復号器２００は、光ファイバの導波方向に沿って配列された４つの単位ＦＢＧ２０４，２０３，２０２，２０１を有するＳＳＦＢＧであり、光符号器１００に対応する符号長が４ビットの符号値（例えば、０，１，０，０）を持つ。符号値０の単位ＦＢＧからのブラッグ反射光と符号値１の単位ＦＢＧからのブラッグ反射光との間の位相差はπである。このため、単位ＦＢＧを利用した光符号器１００が生成する符号を、光位相符号とも言う。
【００１７】
図１（ａ）に示される光パルス３００が光ファイバ１１１、光サーキュレータ１１２、光ファイバ１１３を介して光符号器１００に入力されると、図１（ｂ）に示されるように、単位ＦＢＧ１０１，１０２，１０３，１０４からのブラッグ反射光ａ，ｂ，ｃ，ｄによる符号化チップパルス列４００（チップパルス４０１，４０２，４０３，４０４）が生成される。ブラッグ反射光ａ，ｂ，ｃ，ｄの位相はそれぞれ、０，０，π，０である。図１（ｂ）〜（ｄ）において、位相０の波形を実線で示し、位相πの波形を破線で示す。また、図１（ｅ）において、位相シフトを与えない反射を実線矢印で示し、位相シフトを与える反射を破線矢印で示す。
【００１８】
光符号器１００で生成された符号化チップパルス列４００（チップパルス４０１，４０２，４０３，４０４）は、光ファイバ１１３、光サーキュレータ１１２、光ファイバ１１４、光サーキュレータ２１１、光ファイバ２１２を介して光復号器２００に入力される。光復号器２００は、光符号器１００と同一の構造であるが、単位ＦＢＧの配列が逆になっている。すなわち、光復号器２００の単位ＦＢＧ２０１，２０２，２０３，２０４はそれぞれ、光符号器１００の単位ＦＢＧ１０１，１０２，１０３，１０４に対応している。
【００１９】
図１（ｂ）に示されるチップパルス４０１（位相０）が光復号器２００に入力されると、図１（ｃ）に符号５０１で示されるように、単位ＦＢＧ２０４，２０３，２０２，２０１からのブラッグ反射光ａ′，ｂ′，ｃ′，ｄ′による符号化チップパルス列５０１が生成される。符号化チップパルス列５０１で示されるブラッグ反射光ａ′，ｂ′，ｃ′，ｄ′の位相はそれぞれ、０，π，０，０（時刻＃１，＃２，＃３，＃４にそれぞれ対応する）である。
【００２０】
図１（ｂ）に示されるチップパルス４０２（位相０）が光復号器２００に入力されると、図１（ｃ）に符号５０２で示されるように、単位ＦＢＧ２０４，２０３，２０２，２０１からのブラッグ反射光ａ′，ｂ′，ｃ′，ｄ′による符号化チップパルス列５０２が生成される。符号化チップパルス列５０２で示されるブラッグ反射光ａ′，ｂ′，ｃ′，ｄ′の位相はそれぞれ、０，π，０，０（時刻＃２，＃３，＃４，＃５にそれぞれ対応する）である。
【００２１】
図１（ｂ）に示されるチップパルス４０３（位相π）が光復号器２００に入力されると、図１（ｃ）に符号５０３で示されるように、単位ＦＢＧ２０４，２０３，２０２，２０１からのブラッグ反射光ａ′，ｂ′，ｃ′，ｄ′による符号化チップパルス列５０３が生成される。符号化チップパルス列５０３で示されるブラッグ反射光ａ′，ｂ′，ｃ′，ｄ′の位相はそれぞれ、π，０，π，π（時刻＃３，＃４，＃５，＃６にそれぞれ対応する）である。
【００２２】
図１（ｂ）に示されるチップパルス４０４（位相０）が光復号器２００に入力されると、図１（ｃ）に符号５０４で示されるように、単位ＦＢＧ２０４，２０３，２０２，２０１からのブラッグ反射光ａ′，ｂ′，ｃ′，ｄ′による符号化チップパルス列５０４が生成される。符号化チップパルス列５０４で示されるブラッグ反射光ａ′，ｂ′，ｃ′，ｄ′の位相はそれぞれ、０，π，０，０（時刻＃４，＃５，＃６，＃７にそれぞれ対応する）である。
【００２３】
図１（ｃ）に示されるチップパルス列５００を構成する全てのチップパルスは、重ね合わされて（足し算されて）、図１（ｄ）に示される白己相関波形が生成される。図１（ｄ）において時刻＃４の最大ピーク波形は、図１（ｃ）に示される時刻＃４における４つの同位相（位相０）のチップパルスが重ね合わされて形成された波形であり、入力光パルス３００に相当する波形である。
【００２４】
なお、以上の説明では、光符号の符号値が０，０，１，０である場合を例示したが、他の光符号であっても同様である。また、以上の説明では、符号長が４ビットの場合を説明した、４ビット以外の符号長の場合も、同様である。
【００２５】
光符号分割多重通信では、各チャネルに異なる符号を割り当てて多重化が行われる。多重化するチャネルを増やすためには、少なくともチャネル数に等しい数の互いに異なる符号が必要となる。互いに異なる符号の数を増やすためには、符号長を長くしなければならない。例えば、符号長が１５ビットであるＭ系列符号を用いる場合、互いに異なる符号として使用できるのは２符号である。この場合は、２チャネルの光符号分割多重通信を実現できる。より多くのチャネルの光符号分割多重通信を実現させたい場合には、より長い符号長の符号を用いる必要がある。例えば、符号長を３１ビットに増やせば、Ｍ系列とＧｏｌｄ系列の符号を合わせて３３種類の符号を準備することができ、３３チャネルの光符号分割多重通信を実現できる。
【００２６】
《２》実施の形態の構成
図２は、本発明に係る実施の形態の光信号分割多重装置（送信側装置）１０及びこれを含む光信号分割多重伝送システムの構成を概略的に示す図である。本実施の形態の光信号分割多重装置１０は、本発明に係る実施の形態の光信号分割多重方法を実施することができる装置であり、本実施の形態の光信号分割多重伝送システムは、本発明に係る実施の形態の光信号分割多重伝送方法を実施することができるシステムである。本実施の形態においては、波長分割多重（ＷＤＭ）方式によるチャネル識別及び光符号分割多重（ＯＣＤＭ）方式による利用者側装置（受信側装置）識別の両方を利用している。
【００２７】
図２に示されるように、本実施の形態の光信号分割多重伝送システムは、局社側設備内の光信号分割多重装置（送信側装置）１０と、複数の利用者側装置（受信側装置）３０，４０，５０と、光ケーブルなどの伝送路（光通信回線）２１と、スプリッタ２２とを備えている。図２には、光信号分割多重装置１０から３つの利用者側装置３０，４０，５０にデータを配信する例が示されている。ここでは、１つの光信号分割多重装置１０から、３つの利用者側装置３０，４０，５０に、データを光信号にして配信する場合を説明するが、利用者側装置の数（利用者の数）は、３台（３人）に限定されない。
【００２８】
光信号分割多重装置１０は、パルス信号発生部１１と、光変調部（変調光パルス出力部）１２と、選択部１３と、複数の広帯域光符号器１４ａ，１４ｂ，１４ｃと、多重化部を構成するカプラ１５とを備えている。ここでは、広帯域光符号器の数が３台の場合を説明するが、この数は３台に限定されない。
【００２９】
利用者側装置３０は、狭帯域可変光復号器３１と、この狭帯域可変光復号器３１の出力を受信する光受信機３２とを備えている。また、利用者側装置４０は、狭帯域可変光復号器４１と、この狭帯域可変光復号器４１の出力を受信する光受信機４２とを備えている。さらに、利用者側装置５０は、狭帯域可変光復号器５１と、この狭帯域可変光復号器５１の出力を受信する光受信機５２とを備えている。
【００３０】
光信号分割多重装置１０において、パルス信号発生部１１は、複数のパルス発生器１１ａ，１１ｂ，１１ｃを有している。各パルス発生器１１ａ，１１ｂ，１１ｃは、互いに異なる波長ＷＡ，ＷＢ，ＷＣのパルス信号Ｓ０Ａ，Ｓ０Ｂ，Ｓ０Ｃを生成する。ここでは、パルス発生器の数が３台の場合を説明するが、この数は３台に限定されない。
【００３１】
光変調部１２は、複数の光変調器１２ａ，１２ｂ，１２ｃを有している。各光変調器１２ａ，１２ｂ，１２ｃは、互いに異なる波長ＷＡ，ＷＢ，ＷＣの、光パルス信号Ｓ１Ａ，Ｓ１Ｂ，Ｓ１Ｃを生成する。光変調器１２ａ，１２ｂ，１２ｃは、例えば、入力されるパルス信号Ｓ０Ａ，Ｓ０Ｂ，Ｓ０Ｃに基づいて、光パルス信号Ｓ１Ａ，Ｓ１Ｂ，Ｓ１Ｃを発生させる装置、例えば、レーザー光発生器である。なお、パルス発生器１１ａ，１１ｂ，１１ｃを光パルスを出力するレーザー光発生器とし、光変調器１２ａ，１２ｂ，１２ｃが、入力される光パルス信号Ｓ０Ａ，Ｓ０Ｂ，Ｓ０Ｃを変調して光パルス信号Ｓ１Ａ，Ｓ１Ｂ，Ｓ１Ｃとする構成であってもよい。
【００３２】
選択部１３は、複数のスプリッタ１３ａ，１３ｂ，１３ｃを有している。スプリッタ１３ａは、光変調器１２ａから出力された光パルス信号Ｓ１Ａを分岐して、同じ光パルス信号Ｓ１Ａを広帯域光符号器１４ａ及び広帯域光符号器１４ｂに供給する。スプリッタ１３ｂは、光変調器１２ｂから出力された光パルス信号Ｓ１Ｂを分岐して、同じ光パルス信号Ｓ１Ｂを広帯域光符号器１４ｂ及び広帯域光符号器１４ｃに供給する。スプリッタ１３ｃは、光変調器１２ｃから出力された光パルス信号Ｓ１Ｃを分岐して、同じ光パルス信号Ｓ１Ｃを広帯域光符号器１４ｃ及び広帯域光符号器１４ａに供給する。このように、選択部１３は、複数の変調光パルス信号Ｓ１Ａ，Ｓ１Ｂ，Ｓ１Ｃの中から選択された波長の１つ以上の変調光パルス信号を含む光信号の束又は光信号群（例えば、光信号Ｓ１ＣとＳ１Ａの束であるＳ１ＣＡ、光信号Ｓ１ＡとＳ１Ｂの束であるＳ１ＡＢ、光信号Ｓ１ＢとＳ１Ｃの束であるＳ１ＢＣ）を複数生成して出力する。図３では、選択部１３が、３つの光信号の束Ｓ１ＣＡ，Ｓ１ＡＢ，Ｓ１ＢＣを生成する場合を示している。
【００３３】
選択部１３は、３つの変調光パルス信号Ｓ１Ａ，Ｓ１Ｂ，Ｓ１Ｃをスプリッタ１３ａ，１３ｂ，１３ｃで分け、各利用者側装置３０，４０，５０に割り当てられた３つの符号を持つ広帯域光符号器１４ａ，１４ｂ，１４ｃに物理的に選択して結合する装置である。選択部１３により、各利用者側装置３０，４０，５０が必要な波長チャネルの信号だけが、各利用者側装置３０，４０，５０に対応する広帯域光符号器１４ａ，１４ｂ，１４ｃに入力される。ここでは、一例として、利用者側装置３０については、波長ＷＣのチャネルＣｈ−Ｃと波長ＷＡのチャネルＣｈ−Ａの利用契約があり、利用者側装置４０については、波長ＷＡのチャネルＣｈ−Ａと波長ＷＢのチャネルＣｈ−Ｂの利用契約があり、利用者側装置５０については、波長ＷＢのチャネルＣｈ−Ｂと波長ＷＣのチャネルＣｈ−Ｃの利用契約がある場合を説明する。
【００３４】
利用者側装置３０は、波長設定部３３により、波長ＷＣのチャネルＣｈ−Ｃ又は波長ＷＡのチャネルＣｈ−Ａのいずれかの受信を選択する。波長ＷＣのチャネルＣｈ−Ｃが選択されたときは、入力される符号化チップパルス列は、狭帯域可変光復号器３１内の波長ＷＣ用の狭帯域光復号器３１Ｃに入力され、波長ＷＡのチャネルＣｈ−Ａが選択されたときは、入力される符号化チップパルス列は、狭帯域可変光復号器３１内の波長ＷＡ用の狭帯域光復号器３１Ａに入力される。狭帯域光復号器３１Ｃと狭帯域光復号器３１Ａは、同じ符号値を持つ。狭帯域可変光復号器３１が１つの波長チャネル用である場合には、波長設定部３３は備える必要がない。
【００３５】
利用者側装置４０は、波長設定部４３により、波長ＷＡのチャネルＣｈ−Ａ又は波長ＷＢのチャネルＣｈ−Ｂのいずれかの受信を選択する。波長ＷＡのチャネルＣｈ−Ａが選択されたときは、入力される符号化チップパルス列は、狭帯域可変光復号器４１内の波長ＷＡ用の狭帯域光復号器４１Ａに入力され、波長ＷＢのチャネルＣｈ−Ｂが選択されたときは、入力される符号化チップパルス列は、狭帯域可変光復号器４１内の波長ＷＢ用の狭帯域光復号器４１Ｂに入力される。狭帯域光復号器４１Ａと狭帯域光復号器４１Ｂは、同じ符号値を持つ。狭帯域可変光復号器４１が１つの波長チャネル用である場合には、波長設定部４３は備える必要がない。
【００３６】
利用者側装置５０は、波長設定部５３により、波長ＷＢのチャネルＣｈ−Ｂ又は波長ＷＣのチャネルＣｈ−Ｃのいずれかの受信を選択する。波長ＷＢのチャネルＣｈ−Ｂが選択されたときは、入力される符号化チップパルス列は、狭帯域可変光復号器５１内の波長ＷＢ用の狭帯域光復号器５１Ｂに入力され、波長ＷＣのチャネルＣｈ−Ｃが選択されたときは、入力される符号化チップパルス列は、狭帯域可変光復号器５１内の波長ＷＣ用の狭帯域光復号器５１Ｃに入力される。狭帯域光復号器５１Ｂと狭帯域光復号器５１Ｃは、同じ符号値を持つ。狭帯域可変光復号器５１が１つの波長チャネル用である場合には、波長設定部５３は備える必要がない。
【００３７】
各利用者側装置３０，４０，５０による利用契約の内容は、上記例に限定されない。また、契約チャネルの数は、上記例に限定されず、１以上、利用可能なチャネル数以下であれば、他の数であってもよい。
【００３８】
複数の広帯域光符号器１４ａ，１４ｂ，１４ｃはそれぞれ、利用者側装置３０，４０，５０に対応する。広帯域光符号器１４ａの符号化によって生成されたチップパルス列は、利用者側装置３０で復号でき、広帯域光符号器１４ｂ，１４ｃの符号化によって生成されたチップパルス列は、利用者側装置３０で復号できない。同様に、広帯域光符号器１４ｂの符号化によって生成されたチップパルス列は、利用者側装置４０で復号でき、広帯域光符号器１４ａ，１４ｃの符号化によって生成されたチップパルス列は、利用者側装置４０で復号できない。同様に、広帯域光符号器１４ｃの符号化によって生成されたチップパルス列は、利用者側装置５０で復号でき、広帯域光符号器１４ｂ，１４ｃの符号化によって生成されたチップパルス列は、利用者側装置５０で復号できない。
【００３９】
複数の広帯域光符号器１４ａ，１４ｂ，１４ｃはそれぞれ、複数の光信号の束Ｓ１ＣＡ，Ｓ１ＡＢ，Ｓ１ＢＣにそれぞれ対応する。広帯域光符号器１４ａは、３つの異なる波長ＷＡ，ＷＢ，ＷＣの光パルスのそれぞれから、符号化チップパルス列を生成することができる。同様に、広帯域光符号器１４ｂも、３つの異なる波長ＷＡ，ＷＢ，ＷＣの光パルスのそれぞれから、符号化チップパルス列を生成することができる。同様に、広帯域光符号器１４ｃも、３つの異なる波長ＷＡ，ＷＢ，ＷＣの光パルスのそれぞれから、符号化チップパルス列を生成することができる。光信号の束Ｓ１ＣＡに対応する広帯域光符号器１４ａは、光信号の束Ｓ１ＣＡに含まれる１つ以上の変調光パルス信号（例えば、光信号の束Ｓ１ＣＡに含まれる光信号Ｓ１Ｃ又はＳ１Ａ）を符号化して、符号化チップパルス列Ｓ２ＣＡを出力する。同様に、光信号の束Ｓ１ＡＢに対応する広帯域光符号器１４ｂは、光信号の束Ｓ１ＡＢに含まれる１つ以上の変調光パルス信号（例えば、光信号の束Ｓ１ＡＢに含まれる光信号Ｓ１Ａ又はＳ１Ｂ）を符号化して、符号化チップパルス列Ｓ２ＡＢを出力する。同様に、光信号の束Ｓ１ＢＣに対応する広帯域光符号器１４ｃは、光信号の束Ｓ１ＢＣに含まれる１つ以上の変調光パルス信号（例えば、光信号の束Ｓ１ＢＣに含まれる光信号Ｓ１Ｂ又はＳ１Ｃ）を符号化して、符号化チップパルス列Ｓ２ＢＣを出力する。
【００４０】
符号化チップパルス列Ｓ２ＣＡ，Ｓ２ＡＢ，Ｓ２ＢＣは、カプラ１５で結合（多重化）され、光ファイバ２１を伝送して、スプリッタ２２により各利用者側装置３０，４０，５０へ分配される。このとき、利用者側装置３０，４０，５０の各々が持つ、固有の狭帯域可変光復号器３１，４１，５１の波長を設定することにより、受信した符号化チップパルス列の符号及び波長と一致する符号及び波長（波長設定部で設定された波長）を持つ狭帯域可変光復号器３１，４１，５１が、一致する符号及び波長を持つ符号化チップパルス列だけから復号を行い、復号（再生）された光パルス信号を光受信機３２，４２，５２に供給する。
【００４１】
図３は、図２に示される広帯域光符号器１４ａ，１４ｂ，１４ｃの特性の一例を示す反射スペクトルを示す図である。図３には、広帯域光符号器１４ａ，１４ｂ，１４ｃの符号は、符号長３１で、２値の位相符号
（０πππ０００πππ０ππ００００００ππππ０π０ππ０００）
である場合を示している。図３から、広帯域光符号器１４ａ，１４ｂ，１４ｃは、中心波長ＷＢ（例えば、１５４７．７２ｎｍ）で最も反射率が高く、中心波長ＷＢから短波長側に進むにしたがって反射率は低下し、中心波長ＷＢから長波長側に進むにしたがって反射率は低下する。しかし、中心波長ＷＢから、短波長側に進む波長（例えば、波長ＷＡ）及び長波長側に進む波長（例えば、波長ＷＣ）のいずれにおいても、波長ＷＢに類似したパターンのスペクトル形状が繰り返している。本実施の形態においては、３つのチャネルの持つ光信号の波長は、中心波長ＷＢに類似するパターンの矢印で示すスペクトルのくぼみの波長ＷＡ（１５４７．４０ｎｍ）とＷＣ（１５４８．０４ｎｍ）に設定している。
【００４２】
図４（ａ）〜（ｃ）は、図２に示される広帯域光符号器１４ａ，１４ｂ，１４ｃの構造、周期的屈折率変調構造部である単位回折格子（単位ＦＢＧ）、及び各部の導波方向の長さを示す図である。図４（ａ）〜（ｃ）に示されるように、複数の広帯域光符号器１４ａ，１４ｂ，１４ｃのそれぞれは、光ファイバ６１のコア（光導波路）６３と、コア６３内に形成され、コア６３の導波方向（光ファイバ６１の長手方向）に並ぶ複数の周期的屈折率分布構造部６２である単位ＦＢＧと、複数の単位ＦＢＧの間に備えられ、符号化チップパルス列を構成するチップパルスのいずれかの位相をシフトさせる位相シフト部６４とを有する。単位ＦＢＧは、ブラッグ反射の式
λ＝２ｎｅｆｆ×Λ０
に従う回折格子の屈折率変調周期Λ０で、本実施の形態では、λは約５３４．８ｎｍとしている。また、ｎｅｆｆは、光ファイバのコアの有効屈折率である。
【００４３】
単位セグメント長Ｌｓに対する単位回折格子長Ｌｇを制御することにより、反射帯域を制御することができる。本実施の形態では、広帯域光符号器構造部は、３波長（Ｎｗ＝３）を扱う構造とするため、３倍の帯域が必要である。このため、単位セグメント長Ｌｓは約２．４ｍｍとし、単位回折格子長Ｌｇは、単位セグメント長Ｌｓの３分の１（Ｌｓ／Ｎｗ）以下となり、ここでは約０．８ｍｍとしている。
【００４４】
このように、複数の広帯域光符号器１４ａ，１４ｂ，１４ｃのそれぞれにおいては、
コア６３に、導波方向に等しい長さに区分した区画である単位セグメントを複数個決め、複数の単位セグメントのそれぞれの中に、複数の単位ＦＢＧの１つが配置されている。単位回折格子長（単位ＦＢＧ長）をＬｇとし、１個の単位セグメントの導波方向の長さをＬｓとし、複数の広帯域光符号器のそれぞれが符号化する、異なる周波数の変調光パルス信号の数をＮｗとしたときに、
Ｌｇ≦Ｌｓ／Ｎｗ
を満たすことが必要である。
【００４５】
また、符号に応じて位相シフト量の単位回折格子間に位相シフト部６４を持っている構成になっており、単位回折格子間のシフト量は屈折率変調周期Λ０に対して、隣合う単位回折格子の位相符号が［０，０］又は［π，π］と同じ場合、隣合う単位回折格子は屈折率変調は位相差０を持ち、且つ、隣合う単位回折格子の位相符号が［０，π］又は［π，０］と異なる場合は、屈折率変調は０．５＊Λ０の位相差を持つ。
【００４６】
カプラ１５は、複数の広帯域光符号器のそれぞれから出力された符号化チップパルス列Ｓ２ＣＡ，Ｓ２ＡＢ，Ｓ２ＢＣを多重化して、光ケーブルなどの伝送路２１に出力する。多重化された符号化チップパルス列Ｓ２ＣＡ，Ｓ２ＡＢ，Ｓ２ＢＣは、スプリッタ２２で分岐され、符号化チップパルス列Ｓ２ＣＡ，Ｓ２ＡＢ，Ｓ２ＢＣが利用者側装置３０，４０，５０に入力される。
【００４７】
図５（ａ）〜（ｃ）は、狭帯域可変光復号器３１，４１，５１の特性の一例を示す反射スペクトルを示す図である。図５（ａ）〜（ｃ）においては、狭帯域可変光復号器の符号は、広帯域光符号器と同じ符号長３１で、２値の位相符号
（０πππ０００πππ０ππ００００００ππππ０π０ππ０００）
である。狭帯域可変光復号器３１，４１，５１の反射中心波長はそれぞれ１５４７．４０ｎｍ、１５４７．７２ｎｍ、１５４８．０４ｎｍである。本実施の形態に用いた狭帯域光符号器の光ファイバコア屈折率変調のイメージは、図４と同様な構造で、単位セグメント長は約２．４ｍｍとし、単位回折格子の長さは単位セグメント長と同じとした。狭帯域可変光復号器３１，４１，５１の回折格子の屈折率変調周期Λは、それぞれ約５３４．７ｎｍ、約５３４．８ｎｍ、約５３４．９ｎｍとした。
【００４８】
本実施の形態では、狭帯域可変光復号器３１が、図５（ｃ）の特性を持つ狭帯域光復号器３１Ｃと、図５（ａ）の特性を持つ狭帯域光復号器３１Ａとを有し、波長設定部３３で、使用する狭帯域光復号器を狭帯域光復号器３１Ｃ又は狭帯域光復号器３１Ａのいずれかに設定する。同様に、狭帯域可変光復号器４１が、図５（ａ）の特性を持つ狭帯域光復号器４１Ａと、図５（ｂ）の特性を持つ狭帯域光復号器４１Ｂとを有し、波長設定部４３で、使用する狭帯域光復号器を狭帯域光復号器４１Ａ又は狭帯域光復号器４１Ｂのいずれかに設定する。同様に、狭帯域可変光復号器５１が、図５（ｂ）の特性を持つ狭帯域光復号器５１Ｂと、図５（ｃ）の特性を持つ狭帯域光復号器５１Ｃとを有し、波長設定部５３で、使用する狭帯域光復号器を狭帯域光復号器５１Ｂ又は狭帯域光復号器５１Ｃのいずれかに設定する。
【００４９】
狭帯域可変光復号器３１には、１又は複数の波長の符号化チップパルス列Ｓ２ＣＡと、１又は複数の波長の符号化チップパルス列Ｓ２ＡＢと、１又は複数の波長の符号化チップパルス列Ｓ２ＢＣとが入力される。狭帯域可変光復号器３１は、波長設定部３３で設定された波長（受信契約などにより予め決められた波長）の符号化チップパルス列Ｓ３Ａ又はＳ３Ｃを、受信機３２に出力する。
【００５０】
狭帯域可変光復号器４１には、１又は複数の波長の符号化チップパルス列Ｓ２ＣＡと、１又は複数の波長の符号化チップパルス列Ｓ２ＡＢと、１又は複数の波長の符号化チップパルス列Ｓ２ＢＣとが入力される。狭帯域可変光復号器４１は、波長設定部４３で設定された波長（受信契約などにより予め決められた波長）の符号化チップパルス列Ｓ３Ａ又はＳ３Ｂを、受信機４２に出力する。
【００５１】
狭帯域可変光復号器５１には、１又は複数の波長の符号化チップパルス列Ｓ２ＣＡと、１又は複数の波長の符号化チップパルス列Ｓ２ＡＢと、１又は複数の波長の符号化チップパルス列Ｓ２ＢＣとが入力される。狭帯域可変光復号器５１は、波長設定部５３で設定された波長（受信契約などにより予め決められた波長）の符号化チップパルス列Ｓ３Ｂ又はＳ３Ｃを、受信機５２に出力する。
【００５２】
《３》実施の形態の動作
図６（ａ）〜（ｃ）は、図２に示される光信号分割多重装置１０の広帯域光符号器１４ａ，１４ｂ，１４ｃの符号化波形を示す図である。本実施の形態においては、１つの広帯域光符号器１４ａ，１４ｂ，１４ｃによる３つの異なる光信号入力パルス幅２０ｐｓの符号化パルス列を示す。図６（ａ）〜（ｃ）において、３つの波長ＷＡ，ＷＢ，ＷＣの光信号の符号化パルス列は、ほぼ同様な形である。このことは、広帯域光符号器１４ａ，１４ｂ，１４ｃの各々が、異なる波長の複数の光信号を、同じ符号で符号化していることを示している。
【００５３】
図７（ａ）〜（ｃ）は、図２に示される利用者側装置３０，４０，５０の狭帯域可変光復号器３１，４１，５１の復号波形（自己相関波形）を示す図である。図７（ａ）は波長ＷＡ用の狭帯域光復号器（図２においては、狭帯域光復号器３１Ａ又は４１Ａ）による復号波形（自己相関波形）である。図７（ｂ）は波長ＷＢ用の狭帯域光復号器（図２においては、狭帯域光復号器４１Ｂ又は５１Ｂ）による復号波形（自己相関波形）である。図７（ｃ）は波長ＷＣ用の狭帯域光復号器（図２においては、狭帯域光復号器５１Ｃ又は３１Ｃ）による復号波形（自己相関波形）である。図７（ａ）〜（ｃ）に示されるように、狭帯域可変光復号器３１，４１，５１による、それぞれの３つの異なる光信号の自己相関波形は、各々の狭帯域光復号器が扱う波長に対応する波長の光信号を再現している。
【００５４】
図８（ａ）及び（ｂ）は、波長ＷＡ用の狭帯域光復号器（図２においては、狭帯域光復号器３１Ａ又は４１Ａ）により、波長ＷＢと波長ＷＣのチップパルス列を復号したときの相互相関波形を示す図である。図８（ａ）及び（ｂ）に示される相互相関波形の光の強度は、図７（ａ）の波長ＷＡの光信号の自己相関波形のピーク値で規格化されている。このように、図８（ａ）及び（ｂ）に示される相互相関波形のピーク値は、図７（ａ）の波長ＷＡの光信号の自己相関波形のピーク値より十分に小さく、図７（ａ）の波長ＷＡの光信号の自己相関波形を、しきい値処理により容易に区別することができる。
【００５５】
図９（ａ）及び（ｂ）は、波長ＷＢ用の狭帯域光復号器（図２においては、狭帯域光復号器４１Ｂ又は５１Ｂ）により、波長ＷＡと波長ＷＣのチップパルス列を復号したときの相互相関波形を示す図である。図９（ａ）及び（ｂ）に示される相互相関波形の光の強度は、図７（ｂ）の波長ＷＢの光信号の自己相関波形のピーク値で規格化されている。このように、図９（ａ）及び（ｂ）に示される相互相関波形のピーク値は、図７（ｂ）の波長ＷＢの光信号の自己相関波形のピーク値より十分に小さく、図７（ｂ）の波長ＷＢの光信号の自己相関波形を、しきい値処理により容易に区別することができる。
【００５６】
図１０（ａ）及び（ｂ）は、波長ＷＣ用の狭帯域光復号器（図２においては、狭帯域光復号器５１Ｃ又は３１Ｃ）により、波長ＷＡと波長ＷＢのチップパルス列を復号したときの相互相関波形を示す図である。図１０（ａ）及び（ｂ）に示される相互相関波形の光の強度は、図７（ｃ）の波長ＷＣの光信号の自己相関波形のピーク値で規格化されている。このように、図１０（ａ）及び（ｂ）に示される相互相関波形のピーク値は、図７（ｃ）の波長ＷＣの光信号の自己相関波形のピーク値より十分に小さく、図７（ｃ）の波長ＷＣの光信号の自己相関波形を、しきい値処理により容易に区別することができる。
【００５７】
《４》実施の形態の効果
以上に説明したように、本実施の形態によれば、加入者系システムの映像配信など、局社側設備である光信号分割多重装置１０から複数の利用者側装置３０，４０，５０へデータ配信する場合に、チャネル毎に波長を振り分け、且つ、利用者側装置３０，４０，５０を符号ごとに振り分けている。このようにすることにより、各利用者側装置３０，４０，５０は不要なチャネルのデータも受信することになく、物理的に利用者側装置３０，４０，５０が必要な複数のチャネル信号（例えば、受信契約しているチャンルに対応する波長のチャネル信号）を受信し、希望の波長チャネルを波長設定部で選択することができる。
【００５８】
また、本実施の形態によれば、複数の波長チャネルの光信号を同時に同じ符号に符号化できる広帯域光符号器を用いているので、広帯域光符号器は、ＦＢＧ符号器を複数の波長チャネルに１つ備えればよい。このため、ＦＢＧ符号器とＦＢＧ復号器とを、波長チャネルごとに１対用意する必要がある従来の構成に比べて、１チャネル当たりのコストの削減、ＦＢＦ符号器の実装面積の低減を実現できる。
【００５９】
《５》変形例
上記説明では、光ファイバのコアにブラッグ回折格子を形成することによって形成された周期的屈折率変調構造部を、光符号器及び光復号器に適用した場合を述べた。しかし、ブラッグ回折格子以外の周期的屈折率変調構造部を、光符号器及び光復号器に適用してもよい。
【符号の説明】
【００６０】
１０  光信号分割多重装置（送信側装置）、  １１  パルス信号発生部、  １１ａ，１１ｂ，１１ｃ  パルス発生器、  １２  光変調部（変調光パルス出力部）、  １２ａ，１２ｂ，１２ｃ  光変調器、  １３  選択部、  １３ａ，１３ｂ，１３ｃ  スプリッタ、  １４ａ，１４ｂ，１４ｃ  広帯域光符号器、  １５  カプラ、  ２１  光ケーブル、  ２２  スプリッタ、  ３０，４０，５０  利用者側装置（受信側装置）、  ３１，４１，５１  狭帯域可変光復号器、  ３２，４２，５２  光受信機、  ３３，４３，５３  波長設定部、  ６１  光ファイバ、  ６２  単位回折格子、  ６３  コア、  ６４  位相シフト部、  ６５  回折格子、  ＷＡ，ＷＢ，ＷＣ  波長、  Ｓ０Ａ  波長ＷＡのパルス信号、  Ｓ０Ｂ  波長ＷＢのパルス信号、  Ｓ０Ｃ  波長ＷＣのパルス信号、  Ｓ１Ａ  波長ＷＡの変調光パルス信号、  Ｓ１Ｂ  波長ＷＢの変調光パルス信号、  Ｓ１Ｃ  波長ＷＣの変調光パルス信号、  Ｓ２ＣＡ  多重化された波長ＷＣの符号化チップパルス列と波長ＷＡの符号化チップパルス列、  Ｓ２ＡＢ  多重化された波長ＷＡの符号化チップパルス列と波長ＷＢの符号化チップパルス列、  Ｓ２ＢＣ  多重化された波長ＷＢの符号化チップパルス列と波長ＷＣの符号化チップパルス列、  Ｓ３Ａ  波長ＷＡの復号波形（自己相関波形）、  Ｓ３Ｂ  波長ＷＢの復号波形（自己相関波形）、  Ｓ３Ｃ  波長ＷＣの復号波形（自己相関波形）。
【図１】
2011199759.tif 000003
【図２】
2011199759.tif 000004
【図３】
2011199759.tif 000005
【図４】
2011199759.tif 000006
【図５】
2011199759.tif 000007
【図６】
2011199759.tif 000008
【図７】
2011199759.tif 000009
【図８】
2011199759.tif 000010
【図９】
2011199759.tif 000011
【図１０】
2011199759.tif 000012